(57)【要約】  本発明は、電力貯蔵装置用電池パックに関し、多数の単位セルが積層されて電気的に連結されている構造の各電池モジュールが互いに接しながら配列されている構造の一つ以上のモジュールアセンブリ、前記モジュールアセンブリの両側面を覆う構造で結合されている一対のサイドプレート、一面には前記サイドプレートと結合される締結部が形成されており、他面には外部構造に装着される外部装着部が形成されているベースプレート、及び前記モジュールアセンブリを覆いながらベースプレートと結合されている外装カバーを含んでいる構造の電池パックを提供する。
2016531395.tif 000002
【特許請求の範囲】
【請求項１】
（ａ）多数の単位セルが積層されて電気的に連結されている構造の各電池モジュールが互いに接しながら配列されている構造の一つ以上のモジュールアセンブリ、
（ｂ）前記モジュールアセンブリの両側面を覆う構造で結合されている一対のサイドプレート、
（ｃ）一面には前記サイドプレートと結合される締結部が形成されており、他面には外部構造に装着される外部装着部が形成されているベースプレート、及び
（ｄ）前記モジュールアセンブリを覆いながらベースプレートと結合されている外装カバー
を含んでいる構造の電池パック。
【請求項２】
前記単位セルが、一つの板状型電池セル構造であるか、又は、各電極端子が露出した状態で二つ以上の板状型電池セルがセルカバーに装着されている電池セルアセンブリ構造であることを特徴とする、請求項１に記載の電池パック。
【請求項３】
前記板状型電池セルが、金属層及び樹脂層を含むラミネートシートのケースに電極組立体を内蔵した後、外周面をシーリングした構造からなることを特徴とする、請求項２に記載の電池パック。
【請求項４】
前記板状型電池セルがリチウム二次電池であることを特徴とする、請求項２に記載の電池パック。
【請求項５】
前記電池モジュールが、二つ以上の単位セルがそれぞれカートリッジに装着されて単位セル積層構造を形成し、前記単位セル積層構造の最外側の各電池セルに装着されて単位セル積層構造を固定する上部プレート及び下部プレートを含む構造からなっていることを特徴とする、請求項１に記載の電池パック。
【請求項６】
前記サイドプレートには、その上端から延長されて前記電池モジュールの上面に接するように折り曲げられている二つ以上の電池モジュール結合部が形成されていることを特徴とする、請求項１に記載の電池パック。
【請求項７】
前記電池モジュール結合部には、電池モジュールの上面コーナー部位との結合のための締結溝が形成されていることを特徴とする、請求項６に記載の電池パック。
【請求項８】
前記モジュールアセンブリが、２個の電池モジュールが単位セル積層方向に対して側面方向に互いに接した状態で配列されている構造からなることを特徴とする、請求項１に記載の電池パック。
【請求項９】
前記各電池モジュールが、パワーワイヤハーネスによって電気的に連結されており、前記電池パックの作動を制御する制御部には通信ワイヤハーネスが連結されており、前記パワーワイヤハーネス及び通信ワイヤハーネスのうち一つがサイトプレートの外面を経由するように装着されていることを特徴とする、請求項１に記載の電池パック。
【請求項１０】
前記パワーワイヤハーネスが、一側のサイドプレートの外面を経由するように装着されており、前記通信ワイヤハーネスが、対向側のサイトプレートの外面を経由するように装着されていることを特徴とする、請求項９に記載の電池パック。
【請求項１１】
前記パワーワイヤハーネスが、各電池モジュールを連結するパワーライン、及び各電池モジュールの検出電圧を伝送するセンシングラインを含むことを特徴とする、請求項１０に記載の電池パック。
【請求項１２】
前記各電池モジュールには、それぞれ正極、負極、及び接地線と連結される３極のパワーコネクターが電気的に接続されており、前記接地線の端部が、ベースプレートに接触して接地をなすことを特徴とする、請求項１０に記載の電池パック。
【請求項１３】
前記接地線の接地部位が、パワーワイヤハーネスが位置するサイトプレートの外面に隣接したベースプレートの上面であることを特徴とする、請求項１２に記載の電池パック。
【請求項１４】
前記通信ワイヤハーネスが、電池パックの入出力端子に接続されているインバーターと制御部としてのＢＭＳとを互いに連結することを特徴とする、請求項１０に記載の電池パック。
【請求項１５】
前記ベースプレート及び／又は外装カバーには凹凸構造の補強ビードが形成されていることを特徴とする、請求項１に記載の電池パック。
【請求項１６】
前記ベースプレートには、外部と連通する通風口が形成されていることを特徴とする、請求項１に記載の電池パック。
【請求項１７】
前記外装カバーの一側又は両側には運搬用取っ手が形成されていることを特徴とする、請求項１に記載の電池パック。
【請求項１８】
前記運搬用取っ手が、把持部、及び前記把持部の一側に延長されている結合部を含む構造で形成されており、前記結合部が、前記ベースプレートと結合されていることを特徴とする、請求項１７に記載の電池パック。
【請求項１９】
前記外部装着部が、下向きに折り曲げられた突出構造で形成されていることを特徴とする、請求項１に記載の電池パック。
【請求項２０】
前記ベースプレートの下面には、外部デバイス又は外部施設物に電池パックを装着するための一つ以上の装着用ブラケットが形成されていることを特徴とする、請求項１に記載の電池パック。
【請求項２１】
前記外部施設物が建物の壁であることを特徴とする、請求項２０に記載の電池パック。
【請求項２２】
請求項１から２１のいずれか１項による電池パックを含むことを特徴とするデバイス。
【請求項２３】
前記デバイスが、家庭用電源装置、公共施設電源装置、大型商店用電源装置、非常用電源装置、電算室電源装置、携帯用電源装置、医療設備電源装置、消化設備電源装置、警報設備電源装置、避難設備電源装置、電気自動車、ハイブリッド電気自動車、又はプラグ―インハイブリッド電気自動車であることを特徴とする、請求項２２に記載のデバイス。
【発明の詳細な説明】
【技術分野】
【０００１】
本発明は、電力貯蔵装置用電池パックに関する。
【背景技術】
【０００２】
最近、充放電が可能な二次電池は、ワイヤレスモバイル機器のエネルギー源として広範囲に使用されており、化石燃料を使用する既存のガソリン車両、ディーゼル車両などの大気汚染などを解決するための方案として提示されている電気自動車（ＥＶ）、ハイブリッド電気自動車（ＨＥＶ）、プラグ―インハイブリッド電気自動車（Ｐｌｕｇ―Ｉｎ  ＨＥＶ）などの動力源としても注目されている。
【０００３】
また、電気を貯蔵した後、これを必要な時点に安定的に電力系統に再び供給する電力貯蔵装置に関する技術が開発されている。電力貯蔵装置は、電力需要が少ないときにエネルギーを貯蔵し、過負荷又は非常時に電力を供給する装置であって、電力品質及びエネルギー使用効率を向上させるという効果を与えている。特に、家庭用電力貯蔵装置及び産業用又は商業用中型電力貯蔵装置は、スマートグリッド技術と結び付けられ、その市場規模が急成長している。
【０００４】
一方、電池パックが所定の装置及びデバイスで要求される出力及び容量を提供するためには、多数の電池セル又は多数の電池セルを含む各電池モジュールを直列又は並列方式で電気的に連結することによって電池パックを構成しなければならなく、電池パックの容量が大きくなるほど、拡張性が容易で且つ安定した構造を維持可能でなければならない。
【０００５】
また、多数の電池セルを使用して電池パックを構成する場合、バスバー又は電源連結ケーブルのように、これらの機械的締結及び電気的接続のために一般的に多くの部材が必要であるので、これら各部材を組み立てる過程は非常に複雑であり、電池モジュールを拡張しなければならない場合、構造の変更が容易でないだけでなく、多くの部品がさらに必要であり、製造費用を上昇させる。
【０００６】
また、電池パックにおいては、反復される充放電による膨張及び収縮、誤作動による劣化、短絡、及び爆発などの問題が発生し、また、多数の部品を使用して組み立てられるので、内部の複雑な構造により、部品又は配線構造で干渉、漏電、ショートなどの問題が発生するおそれがあり、構造的安全性をさらに必要としている。
【０００７】
これとは別に、家庭用又は非常用に使用される電力貯蔵装置用電池パックの場合、必要に応じて移動しなければならないか、所定の場所に容易に着脱可能な構造を必要としている。
【０００８】
したがって、このような問題及び技術的要請を解決できる技術に対する必要性が高い実情にある。
【発明の概要】
【発明が解決しようとする課題】
【０００９】
本発明は、前述のような従来技術の問題と過去から要請されてきた技術的課題を解決することを目的とする。
【００１０】
本発明の目的は、組み立てが容易であり、全体的にコンパクトで且つ構造的安定性に優れた電池パックを提供することにある。
【００１１】
本発明の更に他の目的は、外部構造又はデバイスに容易に装着又は分離が可能な構造、及び移動性を向上させる構造の電池パックを提供することにある。
【課題を解決するための手段】
【００１２】
このような目的を達成するための本発明に係る電池パックは、
（ａ）多数の単位セルが積層されて電気的に連結されている構造の各電池モジュールが互いに接しながら配列されている構造の一つ以上のモジュールアセンブリ、
（ｂ）前記モジュールアセンブリの両側面を覆う構造で結合されている一対のサイドプレート、
（ｃ）一面には前記サイドプレートと結合される締結部が形成されており、他面には外部構造に装着される外部装着部が形成されているベースプレート、及び
（ｄ）前記モジュールアセンブリを覆いながらベースプレートと結合されている外装カバー
を含んでいる構造で形成されている。
【００１３】
すなわち、本発明の電池パックは、多数の電池モジュールが結合されたモジュールアセンブリがサイドプレートに結合され、ベースプレートに装着された構造からなっているので、電池パック内に各電池モジュールを安定的に装着することができ、組み立てが容易な構造で形成されている。
【００１４】
また、本発明の電池パックは、外部装着部を含むことによって外部構造に容易に装着可能であるという効果を有する。
【００１５】
一つの具体的な例において、前記単位セルは、板状型電池セル構造であるか、又は、各電極端子が露出した状態で二つ以上の板状型電池セルがセルカバーに装着されている電池セルアセンブリの構造であり得る。
【００１６】
前記板状型電池セルは、例えば、樹脂層及び金属層を含むラミネートシートの電池ケースに電極組立体が内蔵されている構造のパウチ型電池セルであり得る。
【００１７】
具体的に、前記電池セルは、正極／分離膜／負極構造の電極組立体が電解液と共に電池ケースの内部に密封されているパウチ型電池セルであって、全体的に幅に比べて厚さが薄い略直方体構造である板状型からなっている。このようなパウチ型電池セルは、一般にパウチ型の電池ケースからなっており、前記電池ケースは、耐久性に優れた高分子樹脂からなる外部被覆層、水分及び空気などに対して遮断性を発揮する金属素材からなる遮断層、及び熱融着し得る高分子樹脂からなる内部シーラント層が順次積層されているラミネートシート構造で構成されている。
【００１８】
前記パウチ型電池セルにおいて、ケースは多様な構造からなり得るが、例えば、２単位の部材として上部及び／又は下部の内面に形成されている収納部に電極組立体を収納した後、ケースの外周面の上下部接触部位を熱融着して密封する構造などを挙げることができる。前記のような構造のパウチ型電池セルは、本出願人のＰＣＴ国際出願第ＰＣＴ／ＫＲ２００４／００３３１２号に開示されており、この出願は、参照として本発明の内容に組み込まれる。しかし、電池ケースが１単位の部材として上部及び／又は下部の内面に形成されている収納部に電極組立体を収納した後、ケースの外周面の上下部接触部位を熱融着して密封する構造であってもよいことは当然である。
【００１９】
前記電池セルは、電池モジュール又は電池パックの構成時、高電圧及び高電流を提供できる電池であれば特別に制限されなく、例えば、体積当たりのエネルギー貯蔵量が大きいリチウム二次電池であり得る。
【００２０】
一つの具体的な例において、前記電池モジュールは、二つ以上の単位セルがそれぞれカートリッジに装着されて単位セル積層構造を形成し、前記単位セル積層構造の最外側の各電池セルに装着されて電池セル積層構造を固定する上部及び下部プレートを含む構造からなり得る。例えば、前記単位セル積層構造を形成する各カートリッジにそれぞれ締結口が形成されており、前記各締結口を貫通しながら上部及び下部プレートに固定される締結部材を使用して前記単位セル積層構造が前記上部プレートと下部プレートとの間に固定される構造からなり得る。
【００２１】
一方、前記サイドプレートは、前記電池モジュールを固定するための構造であって、サイドプレートの上端から延長され、前記電池モジュールの上面と接するように折り曲げられている二つ以上の電池モジュール結合部が形成されているものであり得る。このような電池モジュール結合部には、電池モジュールの上面コーナー部位との結合のための締結溝が形成されており、ボルト又はリベットなどによって電池モジュール結合部と電池モジュールとが結合される構造をなし得る。
【００２２】
前記モジュールアセンブリに含まれる電池モジュールの個数は特別に限定されなく、必要な出力又は容量に応じて一つ又は二つ以上の多数個が電気的連結をなした状態で配列されていてもよい。一つの例として、前記電池モジュールアセンブリは、２個の電池モジュールが単位セル積層方向に対して側面方向に互いに接した状態で配列されている構造で形成され得る。
【００２３】
一方、従来の電池パックは、内部に複雑な配線構造を含んでおり、このような配線構造では、干渉又はノイズによって誤作動が発生するなどの問題があった。
【００２４】
したがって、本発明に係る電池パックは、各電池モジュールを連結するパワーワイヤハーネス、及び電池パックの作動を制御する制御部に連結されている通信ワイヤハーネスを含む構造で形成し、前記パワーワイヤハーネスと通信ワイヤハーネスとを位置的に分離することによって前述のような問題を防止する構造を形成することができる。
【００２５】
具体的な例において、電池モジュールの入出力端子と連結されるパワーワイヤハーネスに通信ワイヤハーネスが隣接した場合に発生するノイズにより、通信ワイヤハーネスを介したデータに異常が発生することによって誤作動が誘発し得る。したがって、前記パワーワイヤハーネス及び通信ワイヤハーネスのうち一つはサイトプレートの外面を経由するように装着し、これらを分離する構造で形成することができる。
【００２６】
さらに具体的な例において、前記パワーワイヤハーネスは一側のサイドプレートの外面を経由するように装着されており、前記通信ワイヤハーネスは対向側のサイトプレートの外面を経由するように装着されている構造を使用することによって、前述のような誤作動を防止する構造で形成され得る。
【００２７】
前記パワーワイヤハーネスは、各電池モジュールを連結するパワーライン、及び各電池モジュールの検出電圧を伝送するセンシングラインを含む構造であり得る。
【００２８】
前記各電池モジュールには、それぞれ正極、負極、及び接地線と連結される３極のパワーコネクターが電気的に接続されており、前記パワーコネクターは、前記パワーラインの端部に連結され得る。前記接地線の端部は、ベースプレートに接触して接地をなすことによって漏電などの危険を防止し、他のワイヤ、例えば、通信ワイヤハーネスでノイズが発生することを防止する構造からなり得る。
【００２９】
前記接地線の接地部位は、パワーワイヤハーネスが位置するサイトプレートの外面に隣接したベースプレートの上面であり得るが、通信ワイヤハーネスのノイズを防止できるように離隔又は隔離されている位置であれば、前記ベースプレートに特別に限定されなく、多様な位置に接地可能である。
【００３０】
前記通信ワイヤハーネスは、電池パックの入出力端子に接続されているインバーターと制御部としてのＢＭＳとを互いに連結する構造からなり得る。
【００３１】
前記ベースプレート及び／又は外装カバーには、剛性を向上できるように外部表面に凹凸構造の補強ビード（ｂｅａｄ）が形成され得る。
【００３２】
また、前記ベースプレートには、各電池モジュールで発生した熱を放出するように外部と連通する通風口が形成され得る。
【００３３】
一方、前記電池パックの外装カバーは、その一側又は両側に移動を容易にする運搬用取っ手が形成された構造からなり得る。前記運搬用取っ手は、外装カバーの一部が湾入した構造又は外部に突出した構造、又は取っ手形態の部材が装着された構造などに限定されなく、多様な形態で形成され得る。
【００３４】
例えば、前記運搬用取っ手は、取っ手形態の部材が装着されている把持部、及び前記把持部の一側に延長されており、前記ベースプレートに機械的に結合される結合部を含む構造で形成され得る。
【００３５】
前記ベースプレートの外部装着部は、前記外部構造に装着される構造として多様な形態からなり得る。例えば、前記外部装着部は、下向きに折り曲げられた突出構造で形成され得る。また、前記外部構造には、前記外部装着部の下向きに折り曲げられた突出構造が装着される溝又は係止構造などが形成され得る。
【００３６】
前記ベースプレートの外部装着部に対する更に他の例において、ベースプレートの下面には、外部デバイス又は外部施設物に電池パックを装着するための一つ以上の装着用ブラケットが形成された構造であり得る。このような装着用ブラケットは、特別に限定されなく、多様な構造で形成され得る。前記外部施設物は、例えば、建物の壁であってもよく、その結果、前記電池パックが壁に容易に装着されたり、又は前記電池パックが壁から容易に分離される構造からなり得る。
【００３７】
また、本発明は、前記電池パックを電源として含むデバイスを提供し、前記デバイスは、具体的に、家庭用電源装置、公共施設電源装置、大型商店用電源装置、非常用電源装置、電算室電源装置、携帯用電源装置、医療設備電源装置、消化設備電源装置、警報設備電源装置、避難設備電源装置、電気自動車、ハイブリッド電気自動車、又はプラグ―インハイブリッド電気自動車であり得るが、これらのみに限定されることはない。
【００３８】
このようなデバイスの構造及び製作方法は当業界で周知となっているので、本明細書では、それに対する詳細な説明は省略する。
【図面の簡単な説明】
【００３９】
【図１】本発明に係るパウチ型電池セルの斜視図である。
【図２】本発明の電池パックにおいてモジュールアセンブリを構成する電池モジュールの斜視図である。
【図３】本発明の一つの実施例に係る電池パックの斜視図である。
【図４】図３において外装カバーを除去した構造の斜視図である。
【図５】図４においてサイドプレートを分離した構造の斜視図である。
【図６】図４の平面図である。
【図７】図４の側面図である。
【図８】図４の底面図である。
【図９】図４の接地部位に対する拡大図である。
【発明を実施するための形態】
【００４０】
以下では、本発明の実施例を図面を参照して説明するが、これは、本発明のさらに容易な理解のためのものであって、本発明の範疇がそれによって限定されることはない。
【００４１】
図１は、本発明の電池パックにおいて単位セルを構成するパウチ型電池セルの斜視図である。
【００４２】
図１を参照すると、電池セル１０は、各電極端子（正極端子１１、負極端子１２）が一側端部に形成されている板状型電池セル１０である。具体的に、板状型電池セル１０は、金属層（図示せず）及び樹脂層（図示せず）を含むラミネートシートのパウチ型ケース１３に電極組立体（図示せず）を内蔵し、例えば、熱融着によってシーリング部１４を形成した構造であり、通常、これを「パウチ型電池セル」と総称することもある。
【００４３】
図２は、本発明の電池パックにおいてモジュールアセンブリを構成する電池モジュールの斜視図である。
【００４４】
図２を図１と共に参照すると、電池モジュール１１０は、多数の単位セル１０がそれぞれカートリッジ１１２に装着されて単位セル積層構造を形成し、単位セル積層構造の最外側の各単位セル１０に装着されて電池セル積層構造を固定する上部及び下部プレート１１４、１１５を含む構造からなっている。カートリッジ１１２のそれぞれのコーナー部位にはそれぞれ締結口が形成されており、上部プレート１１４及び下部プレート１１５のそれぞれのコーナー部位にもカートリッジ１１２の締結口に対応する締結溝１１７が形成されている。
【００４５】
すなわち、単位セル積層構造における最上部の単位セル１０及び最下部の単位セル１０の外側にそれぞれ上部プレート１１４及び下部プレート１１５を位置させた状態で締結口及び締結溝１１７を貫通する締結部材１１８を使用して単位セル積層構造が上部プレート１１４と下部プレート１１５との間に固定される構造からなっている。
【００４６】
図３は、本発明の一つの実施例に係る電池パックの斜視図で、図４は、図３において外装カバーを除去した構造の斜視図である。
【００４７】
図３及び図４を参照すると、電池パック１００は、モジュールアセンブリ１２０、各サイドプレート１３０、ベースプレート１４０、及び外装カバー１５０を含む構造で構成されている。
【００４８】
モジュールアセンブリ１２０は、多数の単位セルが積層されて電気的に連結されている構造の２個の電池モジュール１１０が単位セル積層方向に対して側面方向に互いに接した状態で配列された構造からなっている。そして、サイドプレート１３０は、モジュールアセンブリ１２０の両側面にそれぞれ装着されており、モジュールアセンブリ１２０の各電池モジュール１１０を固定しながらベースプレート１４０と結合されている。
【００４９】
外装カバー１５０は、モジュールアセンブリ１２０を覆う構造でベースプレート１４０と結合されており、剛性を向上できるように外部表面に凹凸構造の補強ビード１５２が形成されている。
【００５０】
ベースプレート１４０には、サイドプレート１３０と結合される締結部が形成されており、外部構造に装着される外部装着部が形成されている。
【００５１】
外装カバー１５０の両側には、それぞれ移動を容易にする運搬用取っ手１６０が形成されている。
【００５２】
図５は、図４においてサイドプレートを分離した構造の斜視図である。
【００５３】
図５を参照すると、サイドプレート１３０には、電池モジュール１１０を固定するための構造として、サイドプレート１３０の上端から延長されて電池モジュール１１０の上面と接するように折り曲げられている多数の電池モジュール結合部１３２が形成されている。このような電池モジュール結合部１３２には、電池モジュール１１０の上面コーナー部位との結合のための締結溝１３４が形成されており、ボルト又はリベットなどが締結溝１３４を経由して電池モジュール１１０の上面コーナー部位に結合されながら電池モジュール１１０とサイドプレート１３０とが互いに結合される構造からなっている。
【００５４】
また、サイドプレート１３０の下端は、ベースプレート１４０との結合のために、ベースプレート１４０と面接触するように折り曲げられており、ベースプレート１４０結合用締結溝１３６が形成されており、ボルト又はリベットなどで結合される構造からなっている。
【００５５】
図６〜図８は、それぞれ図４の平面図、側面図、及び底面図である。
【００５６】
まず、図６を参照すると、モジュールアセンブリ１２０の両側面に結合されているサイドプレート１３０の外側には、それぞれパワーワイヤハーネス１７０及び通信ワイヤハーネス１８０が装着されている。具体的に、パワーワイヤハーネス１７０は、一側のサイドプレート１３０ａの外面を経由するように装着されており、通信ワイヤハーネス１８０は、パワーワイヤハーネス１７０が装着されている一側の対向側のサイトプレート１３０ｂの外面を経由するように装着されている。したがって、パワーワイヤハーネス１７０及び通信ワイヤハーネス１８０を物理的に離隔させることによって、パワーワイヤハーネス１７０によって通信ワイヤハーネス１８０にノイズが発生することを防止する構造で形成されている。
【００５７】
パワーワイヤハーネス１７０は、各電池モジュール１１０を連結するパワーライン、及び各電池モジュールの検出電圧を伝送するセンシングラインを含み、通信ワイヤハーネスは、電池パックの入出力端子に接続されているインバーターと制御部としてのＢＭＳとを互いに連結する構造からなっている。
【００５８】
図７及び図８を図６と共に参照すると、ベースプレート１４０の両側には、電池パック１００の移動を容易にする運搬用取っ手１６０が形成されている。運搬用取っ手１６０は、取っ手形態の部材が装着されている把持部１６２、及び把持部１６２の一側に延長されており、ベースプレート１４０に機械的に結合される結合部１６４を含む構造で形成されている。
【００５９】
ベースプレート１４０の底面には、外部構造に装着される外部装着部１４４が形成されており、このような外部装着部１４４は、下向きに折り曲げられた突出構造で形成されている。図面には示していないが、外部構造には、外部装着部１４４の下向きに折り曲げられた突出構造が装着される溝又は係止構造などが形成されており、外部装着部が装着される構造で形成され得る。
【００６０】
また、ベースプレート１４０には、各電池モジュール１１０で発生した熱を放出するように外部と連通する通風口１４６が形成されている。
【００６１】
図９は、図４の接地部位に対する拡大図である。
【００６２】
図９を図６と共に参照すると、各電池モジュール１１０には、それぞれ正極、負極、及び接地線と連結される３極のパワーコネクター１９０が電気的に接続されており、パワーコネクター１９０は、パワーワイヤハーネス１７０のパワーラインの端部に連結されている。接地線１９２の端部は、ベースプレート１４０に接触して接地をなすことによって漏電などの危険を防止し、通信ワイヤハーネス１８０でノイズが発生することを防止する構造からなっている。
【００６３】
このような接地線１９２は、パワーワイヤハーネス１７０が位置するサイトプレート１３０の外面に隣接したベースプレート１４０の上面に接地されている。
【００６４】
本発明の属する分野で通常の知識を有する者であれば、前記内容に基づいて本発明の範疇内での多様な応用及び変形が可能であろう。
【産業上の利用可能性】
【００６５】
以上説明したように、本発明に係る電池パックは、多数の電池モジュールが結合されたモジュールアセンブリがサイドプレートに結合され、ベースプレートに装着された構造からなっているので、電池パック内に各電池モジュールを安定的に装着することができ、組み立てが容易な構造で形成されている。
【００６６】
また、本発明の電池パックは、外部装着部を含むことによって外部構造に容易に装着可能な構造を提供する。
【００６７】
また、本発明の電池パックは、パワーワイヤハーネスと通信ワイヤハーネスとを位置的に分離し、パワーワイヤハーネスのパワーラインをベースプレートと接地させることによって通信ワイヤハーネスでノイズが発生することを防止し、誤作動を防止し、安全性を向上させるという効果を提供する。
【符号の説明】
【００６８】
１０  電池セル
１１  正極端子
１２  負極端子
１３  パウチ型ケース
１４  シーリング部
１００  電池パック
１１０  電池モジュール
１１２  カートリッジ
１１４  上部プレート
１１５  下部プレート
１１７  締結溝
１１８  締結部材
１２０  モジュールアセンブリ
１３０  サイドプレート
１３０ａ  サイドプレート
１３０ｂ  サイトプレート
１３２  電池モジュール結合部
１３４  締結溝
１４０  ベースプレート
１４４  外部装着部
１４６  通風口
１５０  外装カバー１５０
１５２  補強ビード
１６０  運搬用取っ手
１６２  把持部
１６４  結合部
１７０  パワーワイヤハーネス
１８０  通信ワイヤハーネス
１９０  パワーコネクター
１９２  接地線
【図１】
2016531395.tif 000003
【図２】
2016531395.tif 000004
【図３】
2016531395.tif 000005
【図４】
2016531395.tif 000006
【図５】
2016531395.tif 000007
【図６】
2016531395.tif 000008
【図７】
2016531395.tif 000009
【図８】
2016531395.tif 000010
【図９】
2016531395.tif 000011
【国際調査報告】
2016531395.tif 000012
2016531395.tif 000013
2016531395.tif 000014
2016531395.tif 000015